(57)【要約】【課題】  電池交換頻度の少ない血圧計(自動血圧計)の提供。【解決手段】  本発明の血圧計は、電池を電源として加圧ポンプを駆動してカフを自動加圧して血圧を測定する腕挿入型血圧計であって、電池をオキシライド乾電池であることを特徴とする。また、手首の周方向に湾曲形状となった本体の表面の大半を血圧値、脈拍値等の表示部としてなることを特徴とする手首式血圧計であって、オキシライド乾電池を電源とすることを特徴とする。また、カフ帯と本体とが一体化されている血圧計 において、本体におけるオキシライド乾電池を本体の両端部に振り分けて配置しているとともに両電池 をカフ帯から見て同じ高さに配置していることを特徴とする。また、電池を電源として加圧ポンプを駆動してカフを自動加圧して血圧を測定する携帯型連続血圧計であって、電池をオキシライド乾電池とすることを特徴とする。【選択図】  図２
2005334445.tif 000002
【特許請求の範囲】
【請求項１】
電池を電源として加圧ポンプを駆動してカフを自動加圧して血圧を測定する腕挿入型血圧計であって、
該電池をオキシライド乾電池とすることを特徴とする血圧計。
【請求項２】
手首の周方向に湾曲形状となった本体の表面の大半を血圧値、脈拍値等の表示部としてなることを特徴とする手首式血圧計であって、オキシライド乾電池を電源とすることを特徴とする血圧計。
【請求項３】
カフ帯と本体とが一体化されている血圧計 において、本体におけるオキシライド乾電池を本体の両端部に振り分けて配置しているとともに両電池 をカフ帯から見て同じ高さに配置していることを特徴とする血圧計。
【請求項４】
電池を電源として加圧ポンプを駆動してカフを自動加圧して血圧を測定する携帯型連続血圧計であって、
該電池をオキシライド乾電池とすることを特徴とする血圧計。
【発明の詳細な説明】
【技術分野】
【０００１】
本発明は、電池交換頻度の少ない小型の血圧計に関する。
【背景技術】
【０００２】
従来、電池駆動の血圧計(自動血圧計)は、単３型電池，単４型電池，ニッカド電池(充電式)等が用いられていた。特に、単３型電池，単４型電池等を用いた血圧計の場合、使用回数限度が２００回程度に限られ、電池交換の手間が掛かるという問題がある(特許文献１：特開平９−３８０５４号公報，特許文献２：特開平１１−５６７９８号公報)。一方で、最近、所定の電流があり電池寿命の長い電源電池として、オキシライド乾電池がデシタルカメラ用に開発されてきている。しかしながら、オキシライド乾電池の血圧計への適用についてはいまだ見出だされていなかった。
【特許文献１】特開平９−３８０５４号公報
【特許文献２】特開平１１−５６７９８号公報
【発明の開示】
【発明が解決しようとする課題】
【０００３】
本発明は、このような事情に鑑みてなされたものであって、電池交換頻度の少ない血圧計(自動血圧計)を提供することを目的とする。
【課題を解決するための手段】
【０００４】
上記目的を達成するために、本発明の血圧計は、電池を電源として加圧ポンプを駆動してカフを自動加圧して血圧を測定する腕挿入型血圧計であって、電池をオキシライド乾電池であることを特徴とする。また、手首の周方向に湾曲形状となった本体の表面の大半を血圧値、脈拍値等の表示部としてなることを特徴とする手首式血圧計であって、オキシライド乾電池を電源とすることを特徴とする。また、カフ帯と本体とが一体化されている血圧計 において、本体におけるオキシライド乾電池を本体の両端部に振り分けて配置しているとともに両電池 をカフ帯から見て同じ高さに配置していることを特徴とする。また、電池を電源として加圧ポンプを駆動してカフを自動加圧して血圧を測定する携帯型連続血圧計であって、電池をオキシライド乾電池とすることを特徴とする。
【発明の効果】
【０００５】
本発明の血圧計によれば、従来の自動血圧計に比べて通常使用で２倍程度の電池寿命となり、電池交換頻度が半減する。一方、同じ交換頻度になるようにすれば、特に、手首式血圧計の場合、電池を例えば単３型を単４型にでき、より小型化、軽量化が図れる。
【発明を実施するための最良の形態】
【０００６】
以下、本発明に係る血圧計の実施例を図面に基づいて詳細に説明する。図１(ａ)は、第１実施例の腕挿入型血圧計(腕挿入型自動血圧計)の外観を示す斜視図、図１(ｂ)は、第２実施例の手首式血圧計血圧計の(手首式自動血圧計)の外観を示す斜視図、図１(ｃ)は、第３実施例の上腕型血圧計(上腕型自動血圧計)の外観を示す斜視図である。図２は、図１(ａ)は、第１実施例の腕挿入型血圧計(腕挿入型自動血圧計)のブロック図の一例を示すものである。
【０００７】
図１(ａ)において、１は腕挿入型血圧計、１０は血圧計本体、１１は血圧値(最高血圧／最低血圧)，脈拍，日付，時刻等を表示するＬＥＤ，ＬＣＤ等の表示部、１２はカフ、１３は電源電池を収納する電池収納部、１４は測定開始スイッチである。
【０００８】
図１(ｂ)において、２は手首式血圧計、２０は手首の周方向に湾曲形状となった血圧計本体、２１は測定された血圧値(最高血圧／最低血圧)，記憶された血圧値(最高血圧／最低血圧)，脈拍，日付，時刻等を表示するＬＥＤ，ＬＣＤ等の表示部、２２はカフ、２３は電源電池を収納する電池収納部、２４は測定開始スイッチである。なお、ブロック図はここでは割愛するが、図２とほぼ同じ構成である。
【０００９】
図１(ｃ)において、３は上腕型血圧計、３０は血圧計本体、３１は測定された血圧値(最高血圧／最低血圧)，記憶された血圧値(最高血圧／最低血圧)，脈拍，日付，時刻等を表示するＬＥＤ，ＬＣＤ等の表示部、３２はカフ、３３は電源電池を収納する電池収納部、３４は測定開始スイッチ、３５はカフと本体に内蔵されたポンプ部を接続するチューブである。なお、ブロック図はここでは割愛するが、図２とほぼ同じ構成である。
【００１０】
図２は第１実施例の腕挿入型血圧計の電気的構成を示すブロック線図である。図において、１２ａは血流音(コロトコフ音)を検出するためのマイク(血管振動法：オシロメトリッ法の場合は不要)、１６はカフを加圧するポンプ、１７はカフを減圧する減圧弁、１８はカフ内の圧力を検出する圧力センサ、１９は、記憶された血圧値をパソコンなどに送信するための外部接続部、１００は装置全体の制御を行うＣＰＵ、１０３はオシキライド乾電池、１０４は、血圧値等を記憶する記憶部、１０５は読取／書込部、１０７は、演算用クロック回路である。必要に応じて、プリンタ１０６を設けてもよい。また、時計用クロック回路１０１、標準時刻を受信するアンテナを含めた電波受信回路１０２を設けておけばいちいち時刻調整の必要がなくなり好都合である。
【００１１】
＜比較試験＞
図１(ａ)に示す腕挿入型血圧計において、単２型アルカリ乾電池を用いた従来場合の通常使用での使用回数と、単３型オキシライド乾電池を用いた場合についての通常使用での使用回数を比較した。単２型アルカリ乾電池(４本：１本当り２７０ｇ)を用いた場合、３００回の使用ができることが確認でき、単３型オキシライド乾電池(４本：１本当り９２ｇ)を用いた場合も３００回の使用できることが確認できた。この結果から、同等の使用回数であると、単２型アルカリ乾電池に変えて単３型オキシライド乾電池の使用が可能で、その場合、電源電池の重量が１／３となり、血圧計の軽量化・小型化が図れる。具体的には、電池を含めて１１００ｇｗ程度の重量となり、ほぼ１／２に近い軽量化が図られる。一方、同じ型の電池を使用する場合、オキシライド乾電池では２倍程度の使用回数となることが確認できた。こうして、単２型アルカリ乾電池を単３型オキシライド乾電池に、単３型アルカリ乾電池を単４型オキシライド乾電池にすることで、小型・軽量化が図られる。通常、図１(ｂ)に示す手首式血圧計は単３型乾電池が用いられているが、使用回数を同じ程度とすると単４型オキシライド乾電池の適用が可能となり、小型・軽量化が可能となり、単３型オキシライド乾電池を用いると電池の交換頻度が１／２程度となる。
【００１２】
ここで、オキシライド乾電池の一例について簡単に説明する。金属製の正極缶、正極缶内に収容される正極合剤、正極合剤にセパレータを介して対向配置されるゲル状亜鉛負極材料からなるアルカリ電池において、正極缶の内面に、炭素系物質粉末を主成分としコバルト系物質粉末を含有させた導電材層が形成されていることを特徴としている。また、導電材層に含まれるコバルト系物質が、金属コバルト、オキシ水酸化コバルト、三酸化二コバルト、一酸化コバルト、および、水酸化コバルトの群から選ばれた少なくとも１種である。また、炭素系物質とコバルト系物質との配合比率が、炭素系物質１００質量部に対してコバルト系物質１〜１０質量部である。また、正極活物質が、水酸化ニッケル系物質であり、特にオキシ水酸化ニッケルを含有するものである。また、正極合剤は、二酸化マンガンとオキシ水酸化ニッケルを含有し、その配合比が二酸化マンガン２０〜９０ｗｔ％、オキシ水酸化ニッケル８０〜１０ｗｔ％である。また、正極合剤が、活物質１００重量部に対して、３〜８重量部の黒鉛を含むものである。上述したオキシライド乾電池は一例であり、これに限定されるものではない。
【００１３】
比較試験は、腕挿入型血圧計の例を示したが、図１(ｂ)に示すような単３型アルカリ乾電池(２本使用)使用の手首式血圧計、図１(ｃ)に示すような単３型アルカリ乾電池(４本使用)使用の上腕型血圧計、単４型アルカリ乾電池(４本使用)使用の２４時間連続(所定間隔、例えば１５分毎の間歇測定)測定する携帯型連続測定装置についても適用できることを確認しており、他の型の血圧計、例えばカフをゴム球等を手動で加圧した後、血圧を自動測定・表示するような血圧計にも適用でき、本願の実施例に限られるものではない。
【図面の簡単な説明】
【００１４】
【図１】本発明の実施例の外観斜視図である。
【図２】本発明の実施例のブロック図である。
【符号の説明】
【００１５】
１・・・腕挿入型血圧計、２・・・手首式血圧計、３・・・上腕型血圧計、１０，２０，３０・・・本体、１１，２１，３１・・・表示部、１２，２２，３２・・・カフ、１３，２３，３３・・・電池収納部、１４，２４，３４・・・測定開始スイッチ
【図１】
2005334445.tif 000003
【図２】
2005334445.tif 000004
【手続補正書】
【提出日】平成16年9月15日(2004.9.15)
【手続補正１】
【補正対象書類名】明細書
【補正対象項目名】全文
【補正方法】変更
【補正の内容】
【発明の詳細な説明】
【技術分野】
【０００１】
本発明は、電池交換頻度の少ない小型の血圧計に関する。
【背景技術】
【０００２】
従来、電池駆動の血圧計(自動血圧計)は、単３型電池，単４型電池，ニッカド電池(充電式)等が用いられていた。特に、単３型電池，単４型電池等を用いた血圧計の場合、使用回数限度が２００回程度に限られ、電池交換の手間が掛かるという問題がある(特許文献１：特開平９−３８０５４号公報，特許文献２：特開平１１−５６７９８号公報)。一方で、最近、所定の電流があり電池寿命の長い電源電池として、オキシライド乾電池がデシタルカメラ用に開発されてきている。しかしながら、オキシライド乾電池の血圧計への適用についてはいまだ見出だされていなかった。
【特許文献１】特開平９−３８０５４号公報
【特許文献２】特開平１１−５６７９８号公報
【発明の開示】
【発明が解決しようとする課題】
【０００３】
本発明は、このような事情に鑑みてなされたものであって、電池交換頻度の少ない血圧計(自動血圧計)を提供することを目的とする。
【課題を解決するための手段】
【０００４】
上記目的を達成するために、本発明の血圧計は、電池を電源として加圧ポンプを駆動してカフを自動加圧して血圧を測定する腕挿入型血圧計であって、電池をオキシライド乾電池であることを特徴とする。また、手首の周方向に湾曲形状となった本体の表面の大半を血圧値、脈拍値等の表示部としてなることを特徴とする手首式血圧計であって、オキシライド乾電池を電源とすることを特徴とする。また、カフ帯と本体とが一体化されている血圧計 において、本体におけるオキシライド乾電池を本体の両端部に振り分けて配置しているとともに両電池 をカフ帯から見て同じ高さに配置していることを特徴とする。また、電池を電源として加圧ポンプを駆動してカフを自動加圧して血圧を測定する携帯型連続血圧計であって、電池をオキシライド乾電池とすることを特徴とする。
【発明の効果】
【０００５】
本発明の血圧計によれば、従来の自動血圧計に比べて通常使用で、電池交換頻度が半減する。一方、同じ交換頻度になるようにすれば、特に、手首式血圧計の場合、電池を例えば単３形を単４形にでき、より小型化、軽量化が図れる。
【発明を実施するための最良の形態】
【０００６】
以下、本発明に係る血圧計の実施例を図面に基づいて詳細に説明する。図１(ａ)は、第１実施例の腕挿入型血圧計(腕挿入型自動血圧計)の外観を示す斜視図、図１(ｂ)は、第２実施例の手首式血圧計血圧計の(手首式自動血圧計)の外観を示す斜視図、図１(ｃ)は、第３実施例の上腕型血圧計(上腕型自動血圧計)の外観を示す斜視図である。図２は、図１(ａ)は、第１実施例の腕挿入型血圧計(腕挿入型自動血圧計)のブロック図の一例を示すものである。
【０００７】
図１(ａ)において、１は腕挿入型血圧計、１０は血圧計本体、１１は血圧値(最高血圧／最低血圧)，脈拍，日付，時刻等を表示するＬＥＤ，ＬＣＤ等の表示部、１２はカフ、１３は電源電池を収納する電池収納部、１４は測定開始スイッチである。
【０００８】
図１(ｂ)において、２は手首式血圧計、２０は手首の周方向に湾曲形状となった血圧計本体、２１は測定された血圧値(最高血圧／最低血圧)，記憶された血圧値(最高血圧／最低血圧)，脈拍，日付，時刻等を表示するＬＥＤ，ＬＣＤ等の表示部、２２はカフ、２３は電源電池を収納する電池収納部、２４は測定開始スイッチである。なお、ブロック図はここでは割愛するが、図２とほぼ同じ構成である。
【０００９】
図１(ｃ)において、３は上腕型血圧計、３０は血圧計本体、３１は測定された血圧値(最高血圧／最低血圧)，記憶された血圧値(最高血圧／最低血圧)，脈拍，日付，時刻等を表示するＬＥＤ，ＬＣＤ等の表示部、３２はカフ、３３は電源電池を収納する電池収納部、３４は測定開始スイッチ、３５はカフと本体に内蔵されたポンプ部を接続するチューブである。なお、ブロック図はここでは割愛するが、図２とほぼ同じ構成である。
【００１０】
図２は第１実施例の腕挿入型血圧計の電気的構成を示すブロック線図である。図において、１２ａは血流音(コロトコフ音)を検出するためのマイク(血管振動法：オシロメトリッ法の場合は不要)、１６はカフを加圧するポンプ、１７はカフを減圧する減圧弁、１８はカフ内の圧力を検出する圧力センサ、１９は、記憶された血圧値をパソコンなどに送信するための外部接続部、１００は装置全体の制御を行うＣＰＵ、１０３はオシキライド乾電池、１０４は、血圧値等を記憶する記憶部、１０５は読取／書込部、１０７は、演算用クロック回路である。必要に応じて、プリンタ１０６を設けてもよい。また、時計用クロック回路１０１、標準時刻を受信するアンテナを含めた電波受信回路１０２を設けておけばいちいち時刻調整の必要がなくなり好都合である。
【００１１】
＜比較試験＞
図１(ａ)に示す腕挿入型血圧計において、単２形アルカリ乾電池を用いた従来場合の通常使用での使用回数と、単３形オキシライド乾電池を用いた場合についての通常使用での使用回数を比較した。単２形アルカリ乾電池(４本：１本当り２７０ｇ)を用いた場合、３００回の使用ができることが確認でき、単３形オキシライド乾電池(４本：１本当り９２ｇ)を用いた場合も３００回の使用できることが確認できた。この結果から、同等の使用回数であると、単２形アルカリ乾電池に変えて単３形オキシライド乾電池の使用が可能で、その場合、電源電池の重量が１／３となり、血圧計の軽量化・小型化が図れる。具体的には、電池を含めて１１００ｇｗ程度の重量となり、ほぼ１／２に近い軽量化が図られる。こうして、単２形アルカリ乾電池を単３形オキシライド乾電池に、単３形アルカリ乾電池を単４形オキシライド乾電池にすることで、小型・軽量化が図られる。通常、図１(ｂ)に示す手首式血圧計は単３形乾電池が用いられているが、使用回数を同じ程度とすると単４形オキシライド乾電池の適用が可能となり、小型・軽量化が可能となり、単３形オキシライド乾電池を用いると電池の交換頻度が１／２程度となる。
【００１２】
ここで、オキシライド乾電池の一例について簡単に説明する。金属製の正極缶、正極缶内に収容される正極合剤、正極合剤にセパレータを介して対向配置されるゲル状亜鉛負極材料からなるアルカリ電池において、正極缶の内面に、炭素系物質粉末を主成分としコバルト系物質粉末を含有させた導電材層が形成されていることを特徴としている。また、導電材層に含まれるコバルト系物質が、金属コバルト、オキシ水酸化コバルト、三酸化二コバルト、一酸化コバルト、および、水酸化コバルトの群から選ばれた少なくとも１種である。また、炭素系物質とコバルト系物質との配合比率が、炭素系物質１００質量部に対してコバルト系物質１〜１０質量部である。また、正極活物質が、水酸化ニッケル系物質であり、特にオキシ水酸化ニッケルを含有するものである。また、正極合剤は、二酸化マンガンとオキシ水酸化ニッケルを含有し、その配合比が二酸化マンガン２０〜９０ｗｔ％、オキシ水酸化ニッケル８０〜１０ｗｔ％である。また、正極合剤が、活物質１００重量部に対して、３〜８重量部の黒鉛を含むものである。上述したオキシライド乾電池は一例であり、これに限定されるものではない。
【００１３】
比較試験は、腕挿入型血圧計の例を示したが、図１(ｂ)に示すような単３形アルカリ乾電池(２本使用)使用の手首式血圧計、図１(ｃ)に示すような単３形アルカリ乾電池(４本使用)使用の上腕型血圧計、単４形アルカリ乾電池(４本使用)使用の２４時間連続(所定間隔、例えば１５分毎の間歇測定)測定する携帯型連続測定装置についても適用できることを確認しており、他の型の血圧計、例えばカフをゴム球等を手動で加圧した後、血圧を自動測定・表示するような血圧計にも適用でき、本願の実施例に限られるものではない。
【図面の簡単な説明】
【００１４】
【図１】本発明の実施例の外観斜視図である。
【図２】本発明の実施例のブロック図である。
【符号の説明】
【００１５】
１・・・腕挿入型血圧計、２・・・手首式血圧計、３・・・上腕型血圧計、１０，２０，３０・・・本体、１１，２１，３１・・・表示部、１２，２２，３２・・・カフ、１３，２３，３３・・・電池収納部、１４，２４，３４・・・測定開始スイッチ